(57)【特許請求の範囲】
【請求項１】
竿本体と、前記竿本体の竿元側に、前記竿本体に対して相対回転自在に配置されたグリップ部と、前記グリップ部と竿本体との相対回転を阻止する回転阻止手段とを備えた、釣り竿。
【請求項２】
前記回転阻止手段が、グリップ部に支持され竿本体に接離自在な摩擦固定部材である請求項１に記載の釣り竿。
【請求項３】
前記竿本体に対して前記グリップ部を回転自在に支持する支持手段をさらに備えている、請求項１または２に記載の釣り竿。
【請求項４】
前記グリップ部は筒状部材であり、前記支持手段は、前記竿本体の竿元側の端部に固定されるとともに前記グリップ部の内部に嵌挿された支軸と、前記支軸に対して前記グリップ部を回転自在に支持する軸受とを備えている、請求項３に記載の釣り竿。
【発明の詳細な説明】
【０００１】
【産業上の利用分野】
本発明は、釣り竿、特にグリップ部を有する釣り竿に関する。
【０００２】
【従来の技術】
釣り竿で魚を釣り上げる際には、魚の抵抗力や重量で釣り竿に対して曲げ方向の力が加わり、釣り竿がしなるように変形する。釣り竿の持ち方あるいは魚の引き方向によって、釣り竿に加わる曲げ力の方向は様々に変わる。また、キャストする際や釣り竿の先端を上下に振る動作を行う際にも、釣り竿をしなるように変形させるので、釣り竿に曲げ力が加わる。
【０００３】
釣り竿には、竹などの天然材料からなるものや、シート状のプレプリグを筒状に巻回し成形した繊維強化樹脂製のものなどがある。このような材料からなる通常の釣り竿は、周方向で変形特性の違う場所が出来てしまう。例えば、前記プリプレグを用いる繊維強化樹脂製の釣り竿では、プリプレグの端縁あるいは継目が釣り竿の軸方向に沿って生じる。通常、プリプレグ端縁の重ね目は、釣り竿の外周を螺旋状に巻いた形になる。このプリプレグ端縁の重ね目は、スプラインあるいは背骨と呼ばれ、強度や剛性などの特性が他の部分とは異なるので、曲げ力が加わった場合の変形特性も他の部分と大きく異なる。周方向で変形特性に差があると、前記した曲げ力が何れの方向から作用するかによって、釣り竿の変形挙動に大きな違いが出てしまう。
【０００４】
釣り竿の周方向で曲げ力に対する変形特性に違いがあると、魚を釣り上げる際に、釣り竿に作用する曲げ力の方向が変化すると、変形特性が急激に変化して、釣り竿の変形挙動すなわち曲がりが急に変わることになる。釣り竿の曲がりが急に変わると、魚を釣り上げる力が急に減って魚を逃がしてしまったり、ハリスの張力が急に増えてハリス切れを起こしたりする問題が生じる。
【０００５】
また、釣り竿に曲げ力が加わると、釣り竿は出来るだけ曲がり易い方向に曲がろうとする。この曲がり易い方向と曲げ力の方向とにずれがあると、釣り竿にねじり力が生じる。このねじり力は、釣り竿の強度や耐久性の低下や、釣り竿の操作の不自然さを招く。このような問題を解決するために、種々の技術が既に提案されている。たとえば、実開昭４−３５７６４号公報には、穂先のうち先端部分が基端部分に対して回転自在に取り付けられた技術が開示されている。また、実開昭４−４１２５９号公報には、釣り竿を構成する複数本の竿杆が軸受を介して回転可能に連結された技術が開示されている。
【０００６】
これらの先行技術では、釣り竿に曲げ力が加わると、先端側部分が、周方向のうち曲がり易い方向に曲がると同時に穂先が曲げ力の作用する方向を向くように回転する。このため、周方向の同じ方向で曲がることになる。また、釣り竿にねじり力が加わると、前記先端側部分が回転して、釣り竿にねじり変形が生じるのを防ぐことになる。
【０００７】
【発明が解決しようとする課題】
上記従来技術では、釣り竿の先端や途中部分に軸受構造が組み込まれているため、釣り竿の先端側の重量が増大し、釣り竿の操作が行い難くなる。また、釣り竿の穂先部分や一部の竿杆のみが回転しても、回転しない竿元側の部分では、従来と同じように周方向における変形特性の違いやねじり力が発生する。さらに、軸受構造部分は剛性が高いため、釣り竿の軸方向におけるしなり変形が十分に行えなくなる。また、釣り竿は、先端側ほど細くなるので、複雑な軸受構造を組み込むのが難しい。
【０００８】
本発明の目的は、曲げ力の方向による釣り竿の変形挙動の違いおよびねじり変形の発生を防止するとともに、そのための構造が釣り竿の他の機能を阻害しないようにすることにある。
【０００９】
【課題を解決するための手段】
発明１の釣り竿は、竿本体とグリップ部とを備えている。グリップ部は、前記竿本体の竿元側に、前記竿本体に対して相対回転自在に配置されている。また、前記グリップ部と竿本体との相対回転を阻止する回転阻止手段をさらに備えている。発明２の釣り竿は、発明１の釣り竿において、前記回転阻止手段が、グリップ部に支持され竿本体に接離自在な摩擦固定部材である。
【００１０】
発明３の釣り竿は、発明１または２の釣り竿において、前記竿本体に対して前記グリップ部を回転自在に支持する支持手段をさらに備えている。
【００１１】
発明４の釣り竿は、発明３の釣り竿において、前記グリップ部が筒状部材である。前記支持手段は、前記竿本体の竿元側の端部に固定されるとともに前記グリップ部の内部に嵌挿された支軸と、前記支軸に対して前記グリップ部を回転自在に支持する軸受とを備えている。
【００１２】
【作用】
発明１の釣り竿では、グリップ部が竿本体に対して相対回転自在に配置されている。このため、グリップ部が把持された状態で釣り竿に曲げ力が加わると、竿本体は、周方向のうち最も曲がり易い方向が曲げ力の作用する方向と一致するように回転する。曲げ力の方向が何れの方向であっても、竿本体が曲がる方向は前記した曲がり易い特定の方向になるから、釣り竿は、一定の曲がり変形特性あるいは変形挙動を示すことになる。曲げ力の作用する方向と曲がりの方向とが一致していれば、曲げ力に伴うねじり力の発生も防げる。
【００１３】
また、竿本体の先端側には、上記のような一定の曲がり変形特性を持たせたり一定の変形挙動を行わせるための特別な機構や構造を備えておく必要がないので、釣り竿の軸方向におけるしなり変形など、釣り竿本来の機能を阻害することが少ない。釣り竿のグリップ部は十分な太さがあり、軸受などの回転のための構造を組み込むのも容易である。また、グリップ部は、釣り竿の曲がりには関与しない部分であるから、軸受などを組み込んでも釣り竿の機能には影響が少ない。
【００１４】
さらに、グリップ部と竿本体との相対回転を阻止する回転阻止手段をさらに備えているので、竿本体を回転させないほうが好ましい状況では竿本体の回転を阻止して、従来のグリップ部と竿本体が固定された釣り竿と同様の使い方もできるようになる。
【００１５】
発明２の釣り竿では、発明１の釣り竿において、回転阻止手段が、グリップ部に支持され竿本体に接離自在な摩擦固定部材であるので、周方向の任意の回転位置で竿本体とグリップ部とを固定して回転を阻止することができる。
【００１６】
発明３の釣り竿では、竿本体に対してグリップ部を回転自在に支持する支持手段をさらに備えているので、竿本体の回転動作がスムーズに行われる。釣り竿に加わる曲げ力で自動的に竿本体を回転させるには、回転動作がスムーズであることが好ましい。発明４の釣り竿では、グリップ部が筒状部材であり、支持手段が、支軸と軸受とを備えているので、グリップ部の支持が確実に行え、竿本体の回転動作もスムーズになる。
【００１７】
【実施例】
図１に示す釣り竿は、竿元側から竿先側へと複数段の竿部材１０、１０ａが伸縮自在に連結された竿本体１を有している。各竿部材１０、１０ａは、シート状のプリプレグを筒状に巻回し成形された繊維強化樹脂の管状体で構成されている。竿部材１０、１０ａのうち、最も竿元側に存在するのが元竿１０ａである。
【００１８】
元竿１０ａのさらに竿元側にグリップ部２０が配置されている。グリップ部２０は、ゴムや軟質樹脂などの滑り難く握り易い材料で形成されている。このグリップ部２０が、元竿１０ａに対して相対回転自在になっている。グリップ部２０の表面には、回転阻止手段となる回転阻止ボタン３０が突出している。図２に示すように、グリップ部２０には、概略円筒状の筒状部材２２と、筒状部材２２の後端部にねじ込まれた尾栓部２４とを有する。元竿１０ａの竿元側の端部に管状の支軸１２が嵌入されて固定されている。支軸１２は、グリップ部２０の筒状部材２２の内部を中心に沿って後方の尾栓部２４の近くまで延びている。支軸１２のうち、元竿１０ａ側および尾栓部２４側の端部にはボールベアリング４０、４０が嵌め込まれて固定されている。ボールベアリング４０、４０の外周には筒状部材２２が嵌め込まれて固定されている。その結果、支軸１２と筒状部材２２は自由に相対回転できるようになっている。
【００１９】
回転阻止ボタン３０はゴムや合成樹脂などの弾性材料で形成されており、ブロック状の本体部３２と本体部３２の側面から外周方向に延びる支持片３４とを有している。この回転阻止ボタン３０が摩擦固定部材となる。本体部３２は筒状部材２２に設けられた貫通孔２６に挿入され、一部が筒状部材２２の外周に露出している。支持片３４は筒状部材２２の裏面に沿って延び、支持片３４の先端が取付ピン３６で筒状部材２２に固定されている。支持片３４の弾性変形により、本体部３２は筒状部材２２の半径方向に移動できるようになっている。
【００２０】
上記した釣り竿の動作について説明する。釣り竿に曲げ力が加わると、複数段の竿部材１０、１０ａからなる竿本体１が軸方向にしなるように曲がろうとする。各竿部材１０、１０ａは、その周方向による変形特性の違いがあるので、出来るだけ曲がり易い方向に変形しようとする。その際に発生するねじり力で、竿本体１がねじり回転しようとする。釣り竿の操作者はグリップ部２０を持っているので、前記ねじり力で竿本体１がグリップ部２０に対して回転することになる。詳しくは、ボールベアリング４０、４０の働きで、グリップ部２０の筒状部材２２と支軸１２とが相対回転して、グリップ部２０に対して竿本体１が回転する。竿本体１が回転すれば、曲がり力の作用する方向と曲がり易い方向とが一致して、その状態で竿本体１が曲がることになる。釣り竿に何れの方向から曲げ力が加わっても、その際に発生するねじり力で、竿本体１は、一定の同じ方向に曲がるように回転する。竿本体１が回転すれば、ねじり力は解消されるので、竿本体１にねじり変形が生じることはない。
【００２１】
釣り竿の使用状況によって、上記のような竿本体１の回転を避けたい場合には、グリップ部２０に備えた回転阻止ボタン３０を押す。すると、図２に示すように、回転阻止ボタン３０の支持片３４が弾力的に変形し、本体部３２が筒状部材２２の中心側に移動して、本体部３２の底面が支軸１２の周面に当たる。この状態で、竿本体１および支軸１２が回転しようとしても、支軸１２の周面に当接している回転阻止ボタン３０の本体部３２と支軸１２との摩擦固定力により、支軸１２すなわち竿本体１の回転が阻止される。回転阻止ボタン３０を強く押せば、支軸１２に対して強い摩擦固定力を作用させることができる。回転阻止ボタン３０を押すのを止めれば、支持片３４の弾性回復力で、本体部３２は支軸１２から離れて元の位置に戻り、竿本体１はグリップ部２０に対して回転できるようになる。
【００２２】
上記のような釣り竿は、常に同じ調子で釣ることができ、投げ込みコントロール性が向上し、引き込みあるいは取り込みがし易く、振り調子が良くなる。
〔他の実施例〕
(a) 釣り竿としては、竿本体１側の構造は自由に構成でき、既知の各種釣り竿と同様の構造が採用できる。例えば、へら竿に適用できる。振出竿あるいは継ぎ竿に適用できる。図示したガイドのない釣り竿だけでなく、ガイド付きの釣り竿にも適用できる。
【００２３】
(b) グリップ部２０の筒状部材２２は、図示した単純な円筒状のもののほか、手の形に沿った握り易い変形曲面状のものであったり、表面に滑り止めの凹凸を有するものであってもよい。
【００２４】
(c) 支軸１２にグリップ部２０を回転自在に支持する軸受としては、ボールベアリング４０、４０のほか、ニードルベアリングやコロ軸受などの転がり軸受、すべり軸受など、通常の機械装置に使用されている軸受を用いることができる。軸受による支持構造としては、グリップ部２０を支軸１２に対して２個所の軸受４０、４０で両端支持する構造のほか、１個所の軸受で片持ち式に支持する構造も採用できる。竿本体１にグリップ部２０を相対回転自在に支持するには、ボールベアリング４０などの軸受を用いるほか、グリップ部２０の筒状部材２２を竿本体１の支軸１２に直接、回転自在に嵌挿しておくだけでもよい。何れの場合も、竿本体１とグリップ部２０との相対回転の回転抵抗が少ないものが好ましい。
【００２５】
(d) グリップ部２０は、元竿１０ａに連結された支軸１２に支持するほか、元竿１０ａに直接支持させることもできる。
【００２６】
(e) 回転阻止ボタン３０は、支軸１２に当接して摩擦固定力を発揮できる状態と、支軸１２から離れた状態とを選択的に操作できれば、その形状や支持構造あるいは動作機構は自由に変更できる。例えば、回転阻止ボタン３０の接離動作を支持片３４の弾性変形力で果たすほか、コイルスプリングなどの付勢手段で同様の動作を行わせることもできる。回転阻止ボタン３０を押して操作する構造のほか、回転阻止ボタン３０をスライドさせて操作する構造でもよい。回転阻止ボタン３０を押している間だけ回転阻止させる構造のほか、回転阻止状態を一時的に固定できるようにしておいてもよい。
【００２７】
【発明の効果】
発明１の釣り竿では、釣り竿に曲げ力が加わったときに、グリップ部に対して竿本体が回転することで、曲げ力の方向の違いに関わらず一定の曲げ変形挙動を示すようになり、ねじり変形の発生も防止できる。しかも、釣り竿の先端側にはそのための特別な構造を設けておく必要がないので、釣り竿の他の機能を阻害することが少ない。そして、必要に応じて、従来のグリップ部と竿本体が固定された釣り竿と同様の使い方もできる。
【００２８】
発明２の釣り竿では、竿本体とグリップ部との回転阻止を周方向の任意の位置で行える。
【００２９】
発明３の釣り竿では、竿本体の回転動作がスムーズになる。発明４の釣り竿では、グリップ部の支持が確実で、竿本体の回転動作もスムーズになる。
【図面の簡単な説明】
【図１】本発明の実施例を表す釣り竿の側面図。
【図２】グリップ部の詳細構造を表す要部拡大断面図。
【符号の説明】
１    竿本体
１０    竿部材
１０ａ  元竿
１２    支軸
２０    グリップ部
２２    筒状部材
３０    回転阻止ボタン
４０    ボールベアリング
【図１】
0003555984.tif 000002
【図２】
0003555984.tif 000003